(57)【要約】【課題】開閉蓋の見栄えの向上を図ることができると共に、収納方向における使用空間の長さを極力小さくすることができる物入れユニットを提供する。【解決手段】帯材収納箱部６の開口１５に臨む領域に第２ガイド部材３２が存在しないようにし、リッド３４を、第１ガイド部材２６（２３，２５）とそれよりも後方側の第２ガイド部材３２（１１ａａ，１１ｂｂ，３０ａ，３０ｂ）とにより、帯材収納箱部６の開口１５前まで案内し、その後、そのリッド３４を、コイルバネ４７の付勢力に抗して帯材収納箱部６の内方方向に移動させる。これにより、リッド３４を、表面を開口１５外方に向けつつ重ねた状態で収納することを可能として収納方向の長さを短くすると共に、幅広のリッド３４を用いることも可能として、全閉時に、隣り合うリッド３４間の区画線の数を少なくする。【選択図】      図３
2006249834.tif 000002
【特許請求の範囲】
【請求項１】
内部空間を外部に開放する開口を有する収納箱体に、該収納箱体の開口を間に挟むようにして、一対のガイド部材が取付けられ、該各ガイド部材が、第１ガイド部材と、該第１ガイド部材よりも前記収納箱の内方方向側に位置されて該第１ガイド部材と協働して案内溝を形成する第２ガイド部材とからなり、前記各ガイド部材をなす前記第１，第２ガイド部材間に複数の帯材が、その各延び方向端部をもってスライド可能に保持され、前記収納箱体の開口の閉時に、前記複数の帯材が、開閉蓋として、その各幅方向において互いに隣り合った状態をもって該収納箱体の開口を覆うように設定されている物入れの開閉構造において、
前記各帯材が、互いに離間可能とされ、
前記各第２ガイド部材が、前記帯材が前記開口を開く方向にスライドする側において、該各第２ガイド部材の延び端の位置を、同側における該開口の開口端から、該帯材の幅方向を該帯材のスライド方向に向けた状態で該帯材を前記収納箱体の内方側に移動しても該帯材が該第２ガイド部材により移動規制を受けない長さだけ確保するように設定され、
前記各第１ガイド部材が、前記帯材が前記開口を開く方向にスライドする側において、前記第２ガイド部材よりも長く延びるように設定され、
前記収納箱体の内部空間に、前記一対のガイド部材の並設方向における長さに関し、前記開口端から前記第２ガイド部材の延び端までの範囲において、前記帯材が該帯材の幅方向を該帯材のスライド方向に向けた状態で該収納箱体の内方側に移動できる長さが確保され、
前記複数の帯材のうちの１枚の帯材が、該帯材の表面を前記収納箱体の開口外方側に向けつつ、前記開口端と前記第２ガイド部材の延び端との間の範囲に位置されていると共に、付勢手段をもって前記第１ガイド部材に当接する方向に付勢されている、
ことを特徴とする物入れの開閉構造。
【請求項２】
請求項１において、
前記収納箱体の開口周縁部が、前記一対のガイド部材における両第１ガイド部材を兼ねている、
ことを特徴とする物入れの開閉構造。
【請求項３】
請求項２において、
前記各帯材が、前記延び方向端部よりも延び方向内方側における延び方向内方側部分に関し、該延び方向端部の表面高さに比して高くされて、該各帯材の延び方向端部が前記第１，第２ガイド部材間に保持されている状態にあるとき、該各帯材における延び方向内方側部分の表面高さと前記収納箱体の開口周縁部外面とが面一となるように設定されている、
ことを特徴とする物入れの開閉構造。
【請求項４】
請求項１において、
前記各帯材が、隣り合う帯材同士の関係において、スライド方向において一体化すると共に、前記収納箱体の内方方向において離間するように設定されている、
ことを特徴とする物入れの開閉構造。
【請求項５】
請求項４において、
前記各帯材に、前記開口を開く方向にスライドする側の端部である幅方向一方側の端部において、第１係止部がそれぞれ形成され、
前記各帯材に、前記開口を閉じる方向にスライドする側の端部である幅方向他方側の端部において、第２係止部がそれぞれ形成され、
前記第１係止部に、前記帯材の表面側から裏面側に向うに従って該帯材の幅方向一方側の端面が該帯材の幅方向内方に向けて引っ込むように傾斜される第１当接面と、該第１当接面に連続して表面側に向けて曲がる第１係止面とが備えられ、
前記第２係止部に、前記帯材の表面側から裏面側に向うに従って該帯材の幅方向他方側の表面が該帯材の幅方向他方側に向けて進むように傾斜されて隣り合う帯材の前記第１当接面に当接される第２当接面と、該第２当接面よりも該帯材の幅方向他方側において該帯材の表面側に起立して隣り合う帯材の前記第１係止面と当接する第２係止面とが備えられている、
ことを特徴とする物入れの開閉構造。
【請求項６】
請求項５において、
前記第１，第２係止部が、前記各帯材の延び方向端部にそれぞれ形成され、
前記各帯材が、前記延び方向端部よりも延び方向内方側における延び方向内方側部分に関し、該延び方向端部の外面高さに比して高くされて、該各帯材の延び方向端部が前記第１，第２ガイド部材間に保持されている状態にあるとき、該各帯材における延び方向内方側部分の表面高さと前記第１ガイド部材の外面とが面一となるように設定されている、
ことを特徴とする物入れの開閉構造。
【請求項７】
請求項１において、
前記収納箱体内に、前記帯材のスライド方向において、前記開口端から前記第２ガイド部材の延び端までの間隔を維持しつつ、該第２ガイド部材よりも内方側に向けて延びる案内壁が設けられている、
ことを特徴とする物入れの開閉構造。
【請求項８】
請求項１において、
前記付勢手段が、前記収納箱体内に収納されて、伸縮方向を前記収納箱体の内外方向としたコイルバネとされている、
ことを特徴とする物入れの開閉構造。
【請求項９】
内部空間を外部に開放する開口を有する収納箱と、該収納箱に該収納箱の開口を間に挟むようにして取付けられる一対のガイド部材とが備えられ、該各ガイド部材が、第１ガイド部材と、該第１ガイド部材よりも前記収納箱の内方方向側に位置されて該第１ガイド部材と協働して案内溝を形成する第２ガイド部材とからなり、前記各ガイド部材をなす前記第１，第２ガイド部材間に複数の帯材が、その各延び方向端部をもってスライド可能に保持され、前記収納箱の開口の閉時に、前記複数の帯材が、開閉蓋として、その各幅方向において互いに隣り合った状態をもって該収納箱の開口を覆うように設定されている物入れユニットにおいて、
前記各帯材が、互いに離間可能とされ、
前記収納箱内が、物入れ空間と帯材収納空間とに、前記帯材が前記開口を開く方向にスライドする側に該帯材収納空間を配置した状態で区画され、
前記帯材収納空間が、前記各帯材をその表面側を該帯材収納空間の開口外側に向けて１枚ずつ、該帯材収納空間の開口を通じて該帯材収納空間の内部に入れ込むことができる大きさに設定され、
前記各第１ガイド部材が、前記帯材が前記収納箱の開口を開く方向にスライドする側において、前記物入れ空間の開口を超えて前記帯材収納空間の開口を横切るように延ばされ、
前記各第２ガイド部材が、前記帯材が前記収納箱の開口を開く方向にスライドする側において、前記帯材収納空間に至るまで延ばされて、前記案内溝が該帯材収納空間の開口側に向けて開口され、
前記帯材収納空間の開口領域に、前記第１ガイド部材よりも該帯材収納空間の内方側において、前記複数の帯材のうちの１枚の帯材が、該帯材の表面を前記帯材収納空間の開口外方側に向けつつ配設されていると共に、該帯材収納空間内に、該帯材を常に該第１ガイド部材に向けて付勢する付勢手段が収納されている、
ことを特徴とする物入れユニット。
【請求項１０】
請求項９において、
前記収納箱の開口端面に、外方に張り出す取付け板が取付けられていると共に、該取付け板に、該収納箱の開口を外部に開放する開口が形成され、
前記取付け板の開口周縁部が、前記一対のガイド部材における両第１ガイド部材を兼ねている、
ことを特徴とする物入れのユニット。
【請求項１１】
請求項１０において、
前記各帯材が、前記延び方向端部よりも延び方向内方側における延び方向内方側部分に関し、該延び方向端部の外面高さに比して高くされて、該各帯材の延び方向端部が前記第１，第２ガイド部材間に保持されている状態にあるとき、該各帯材における延び方向内方側部分の表面高さと前記取付け板の表面とが面一となるように設定されている、
ことを特徴とする物入れのユニット。
【請求項１２】
請求項９において、
前記各帯材が、隣り合う帯材同士に関し、スライド方向において一体化すると共に、前記帯材収納空間の内方方向において離間するように設定されている、
ことを特徴とする物入れユニット。
【請求項１３】
請求項１２において、
前記各帯材に、前記収納箱の開口を開く方向にスライドする側の端部である幅方向一方側の端部において、第１係止部がそれぞれ形成され、
前記各帯材に、前記収納箱の開口を閉じる方向にスライドする側の端部である幅方向他方側の端部において、第２係止部がそれぞれ形成され、
前記第１係止部に、前記帯材の表面側から裏面側に向うに従って該帯材の幅方向一方側の端面が該帯材の幅方向内方に向けて引っ込むように傾斜される第１当接面と、該第１当接面に連続して表面側に向けて曲がる第１係止面とが備えられ、
前記第２係止部に、前記帯材の表面側から裏面側に向うに従って該帯材の幅方向他方側の表面が該帯材の幅方向他方側に向けて進むように傾斜されて隣り合う帯材の前記第１当接面に当接される第２当接面と、該第２当接面よりも該帯材の幅方向他方側において該帯材の表面側に起立して隣り合う帯材の前記第１係止面と当接する第２係止面とが備えられている、
ことを特徴とする物入れユニット。
【請求項１４】
請求項１３において、
前記第１，第２係止部が、前記各帯材の延び方向端部にそれぞれ形成され、
前記各帯材が、前記延び方向端部よりも延び方向内方側における延び方向内方側部分に関し、該延び方向端部の外面高さに比して高くされて、該各帯材の延び方向端部が前記第１，第２ガイド部材間に保持されている状態にあるとき、該各帯材における延び方向内方側部分の表面高さと前記第１ガイド部材の表面とが面一となるように設定されている、
ことを特徴とする物入れユニット。
【請求項１５】
請求項１において、
前記付勢手段が、伸縮方向を前記収納箱体の内外方向としたコイルバネとされている、
ことを特徴とする物入れユニット。
【発明の詳細な説明】
【技術分野】
【０００１】
本発明は、物入れ構造及び物入れユニットに関する。
【背景技術】
【０００２】
物入れ構造には、特許文献１に示すように、収納箱体（コンソールボックス）の開口を、複数の帯材をその幅方向において隣接させつつ構成した開閉蓋をスライドさせることにより開閉可能としたものがある。具体的には、可撓性シートに複数の帯材をその幅方向において隣接するように取付けて開閉蓋を形成する一方、開閉蓋のスライドを案内すべくガイド部材を設けて、収納箱の開口を開けるときには、ガイド部材によって開閉蓋を収納方向（下方側）へループ状に回り込ませるようにして収納することが行われている。
【特許文献１】特許第３３７０８８５号公報
【発明の開示】
【発明が解決しようとする課題】
【０００３】
しかし、上記物入れ構造においては、開閉蓋の収納時にその開閉蓋を収納方向（下方側）へループ状に回り込ませることから、開閉蓋における各帯材の幅を小さくし、収納方向へループ状に回り込ませるときの曲率半径を小さくするとしても、収納方向（下側）における使用空間の長さを小さくすることには限度がある（少なくとも１枚の帯材の幅以上の長さが上下方向に必要）。このため、開閉蓋を収納する収納方向の長さが短い限られた空間（収納空間が浅いこと）の下では、上記構造を適用することは困難な場合が多い。
しかも、開閉蓋の帯材として、幅広のものを用いた場合には、その開閉蓋を下方側へループ状に回り込ませるとき、ガイド部材と干渉することになること（案内溝を通れないこと）から、開閉蓋の帯材として、細幅のものを多く用いなければならない。このため、収納箱体の開口を、細幅の帯材からなる開閉蓋で覆うときには、隣り合う帯材を区画する区画線が一定間隔（帯材の幅）毎に表れることになり、外観上好ましくない。
【０００４】
本発明は以上のような事情に鑑みてなされたもので、その第１の技術的課題は、開閉蓋の見栄えの向上を図ることができると共に、開閉蓋を収納する収納方向における使用空間の長さを極力小さくすることができる物入れ構造を提供することにある。
第２の技術的課題は、開閉蓋の見栄えの向上を図ることができると共に、収納方向における使用空間の長さを極力小さくすることができる物入れユニットを提供することにある。
【課題を解決するための手段】
【０００５】
前記第１の技術的課題を達成するために本発明（請求項１に係る発明）にあっては、
内部空間を外部に開放する開口を有する収納箱体に、該収納箱体の開口を間に挟むようにして、一対のガイド部材が取付けられ、該各ガイド部材が、第１ガイド部材と、該第１ガイド部材よりも前記収納箱の内方方向側に位置されて該第１ガイド部材と協働して案内溝を形成する第２ガイド部材とからなり、前記各ガイド部材をなす前記第１，第２ガイド部材間に複数の帯材が、その各延び方向端部をもってスライド可能に保持され、前記収納箱体の開口の閉時に、前記複数の帯材が、開閉蓋として、その各幅方向において互いに隣り合った状態をもって該収納箱体の開口を覆うように設定されている物入れの開閉構造において、
前記各帯材が、互いに離間可能とされ、
前記各第２ガイド部材が、前記帯材が前記開口を開く方向にスライドする側において、該各第２ガイド部材の延び端の位置を、同側における該開口の開口端から、該帯材の幅方向を該帯材のスライド方向に向けた状態で該帯材を前記収納箱体の内方側に移動しても該帯材が該第２ガイド部材により移動規制を受けない長さだけ確保するように設定され、
前記各第１ガイド部材が、前記帯材が前記開口を開く方向にスライドする側において、前記第２ガイド部材よりも長く延びるように設定され、
前記収納箱体の内部空間に、前記一対のガイド部材の並設方向における長さに関し、前記開口端から前記第２ガイド部材の延び端までの範囲において、前記帯材が該帯材の幅方向を該帯材のスライド方向に向けた状態で該収納箱体の内方側に移動できる長さが確保され、
前記複数の帯材のうちの１枚の帯材が、該帯材の表面を前記収納箱体の開口外方側に向けつつ、前記開口端と前記第２ガイド部材の延び端との間の範囲に位置されていると共に、付勢手段をもって前記第１ガイド部材に当接する方向に付勢されている構成としてある。この請求項１の好ましい態様としては、請求項２〜８の記載の通りとなる。
【０００６】
前記第２の技術的課題を達成するために本発明（請求項９に係る発明）にあっては、
内部空間を外部に開放する開口を有する収納箱と、該収納箱に該収納箱の開口を間に挟むようにして取付けられる一対のガイド部材とが備えられ、該各ガイド部材が、第１ガイド部材と、該第１ガイド部材よりも前記収納箱の内方方向側に位置されて該第１ガイド部材と協働して案内溝を形成する第２ガイド部材とからなり、前記各ガイド部材をなす前記第１，第２ガイド部材間に複数の帯材が、その各延び方向端部をもってスライド可能に保持され、前記収納箱の開口の閉時に、前記複数の帯材が、開閉蓋として、その各幅方向において互いに隣り合った状態をもって該収納箱の開口を覆うように設定されている物入れユニットにおいて、
前記各帯材が、互いに離間可能とされ、
前記収納箱内が、物入れ空間と帯材収納空間とに、前記帯材が前記開口を開く方向にスライドする側に該帯材収納空間を配置した状態で区画され、
前記帯材収納空間が、前記各帯材をその表面側を該帯材収納空間の開口外側に向けて１枚ずつ、該帯材収納空間の開口を通じて該帯材収納空間の内部に入れ込むことができる大きさに設定され、
前記各第１ガイド部材が、前記帯材が前記収納箱の開口を開く方向にスライドする側において、前記物入れ空間の開口を超えて前記帯材収納空間の開口を横切るように延ばされ、
前記各第２ガイド部材が、前記帯材が前記収納箱の開口を開く方向にスライドする側において、前記帯材収納空間に至るまで延ばされて、前記案内溝が該帯材収納空間の開口側に向けて開口され、
前記帯材収納空間の開口領域に、前記第１ガイド部材よりも該帯材収納空間の内方側において、前記複数の帯材のうちの１枚の帯材が、該帯材の表面を前記帯材収納空間の開口外方側に向けつつ配設されていると共に、該帯材収納空間内に、該帯材を常に該第１ガイド部材に向けて付勢する付勢手段が収納されている構成としてある。この請求項９の好ましい態様としては、請求項１０以下の記載の通りとなる。
【発明の効果】
【０００７】
請求項１に記載された発明によれば、帯材が収納箱体の開口を開く方向にスライドする側における開口端と、第２ガイド部材の延び端との間に空間が確保され、帯材を収納箱体の内方側に移動しても該帯材が該第２ガイド部材により移動規制を受けないことになっていることから、収納箱体の開口を開状態にするときにおいて、第１ガイド部材に向けて付勢されている帯材を付勢手段に抗して収納箱体内に押し込めば、それに続いて、第１，第２ガイド部材に保持されている帯材を、押し込まれた帯材の元の位置を導き、それを収納箱体内に押し込むことができることになり、これを、第１，第２ガイド部材に保持される残りの帯材に関して順次行えば、収納箱体内において、収納方向において帯材を重ねた状態で収納できることになる。しかもこの場合、各帯材に関して、連結部材（例えば可撓性シート）を用意し、それを用いて各帯材を互いを連結することも、各帯材に対して加工を施すことも何等必要でなくなる。このため、極めて簡単な構成をもって、収納方向における使用空間の長さを極力小さくすることができることになる。
【０００８】
また、各帯材は、スライド時には、各帯材の板面が略真っ直ぐ延びるガイド部材に沿いつつ移動し、収納時においては、各帯材の板面を収納方向に向けて真っ直ぐに移動することになり、その各帯材の動きは、略直線的な動きに限られ、回動するようなことはない。このため、各帯材の動きに、その各帯材の幅方向長さが影響を与えることはなく、各帯材の幅方向長さを長くすることもできることになる。これにより、収納箱体の開口を帯材により覆うときにおいて、隣り合う帯材を区画する区画線（当接線）を減らして、開閉蓋の見栄えの向上を図ることができることになる。
【０００９】
請求項２に記載された発明によれば、収納箱体の開口周縁部が、一対のガイド部材における両第１ガイド部材を兼ねていることから、収納箱体の開口周縁部を有効に利用して、部品点数の低減を図ることができることになる。
【００１０】
請求項３に記載された発明によれば、各帯材が、延び方向端部よりも延び方向内方側における延び方向内方側部分に関し、該延び方向端部の外面高さに比して高くされて、該各帯材の延び方向端部が第１，第２ガイド部材間に保持されている状態にあるとき、該各帯材における延び方向内方側部分の表面高さと前記収納箱体の開口周縁部外面とが面一となるように設定されていることから、収納箱体の開口が複数の帯材により覆われるとき、その収納箱体の帯材が存在する面は、帯材が存在していても平坦になり、その収納箱体の帯材が存在する面の見栄え（すっきり感）、使い勝手（物置き台等として）を向上させることができることになる。
しかも、各帯材は、スライド時に、その延び方向外方への移動が各第１ガイド部材により規制されることになり、各帯材は、スライド時に、その延び方向にずれることなく適正にスライドすることになる。このため、収納箱体の開口の開閉を帯材を用いて的確に行うことができることになる。
【００１１】
請求項４に記載された発明によれば、各帯材が、隣り合う帯材同士の関係において、スライド方向において一体化すると共に、収納箱体の内方方向において離間するように設定されていることから、スライド時には、複数の帯材は一体的な開閉蓋となって収納箱体の開口を開閉することになり、各帯材の収納時には、各帯材は、単独で移動して収納箱体内に重ねられることになる。このため、収納方向における使用空間の長さを短くとりつつ、収納箱体の開口の開閉操作を簡単に行うことができることになる。
【００１２】
請求項５に記載された発明によれば、各帯材に、開口を開く方向にスライドする側の端部である幅方向一方側の端部において、第１係止部がそれぞれ形成され、各帯材に、開口を閉じる方向にスライドする側の端部である幅方向他方側の端部において、第２係止部がそれぞれ形成され、第１係止部に、帯材の表面側から裏面側に向うに従って該帯材の幅方向一方側の端面が該帯材の幅方向内方に向けて引っ込むように傾斜される第１当接面と、該第１当接面に連続して表面側に向けて曲がる第１係止面とが備えられ、第２係止部に、帯材の表面側から裏面側に向うに従って該帯材の幅方向他方側の表面が該帯材の幅方向他方側に向けて進むように傾斜されて隣り合う帯材の第１当接面に当接される第２当接面と、該第２当接面よりも該帯材の幅方向他方側において該帯材の表面側に起立して隣り合う帯材の第１係止面と当接する第２係止面とが備えられていることから、一つの帯材を収納箱体の開口を閉じる方向にスライドさせれば、隣り合う帯材同士の第１，第２当接面の当接関係及び第１，第２係止面の当接関係に基づき、その他の帯材もそのスライド方向に一体的にスライドすることになる。一方、一つの帯材を収納箱体の開口を開く方向にスライドさせれば、同じく隣り合う帯材同士の第１，第２当接面の当接関係及び第１，第２係止面の当接関係に基づき、その他の帯材もそのスライド方向に一体的にスライドすることになる。そして、その収納箱体の開口を開くに際し、帯材を収納するときには、収納位置における帯材の第２係止面と、その後に続く帯材の第１係止面との傾斜した当接関係に基づき、スライド力の方向が変更され、収納位置における帯材は、その表面を収納箱体の開口外方に向けた状態で収納方向に移動することになる。このため、前記請求項４と同様の作用効果を具体的に実現することができることになる。
【００１３】
請求項６に記載された発明によれば、第１，第２係止部が、各帯材の延び方向端部にそれぞれ形成され、各帯材が、延び方向端部よりも延び方向内方側における延び方向内方側部分に関し、該延び方向端部の外面高さに比して高くされて、該各帯材の延び方向端部が第１，第２ガイド部材間に保持されている状態にあるとき、該各帯材における延び方向内方側部分の表面高さと第１ガイド部材の外面とが面一となるように設定されていることから、前記請求項５と同様の作用効果を得つつ、収納箱体の開口が複数の帯材により覆われるとき、一対のガイド部材（第１，第２ガイド部材）と複数の帯材とが形成する面は、帯材が存在していても平坦になり、その面の見栄え（すっきり感）、使い勝手（物置き台等として）を向上させることができることになる。
しかも、各帯材は、スライド時に、その延び方向外方への移動が各第１ガイド部材により規制されることになり、各帯材は、スライド時に、その延び方向にずれることなく適正にスライドすることになる。このため、収納箱体の開口の開閉を帯材を用いて的確に行うことができることになる。
【００１４】
請求項７に記載された発明によれば、収納箱体内に、前記帯材のスライド方向において、開口端から第２ガイド部材の延び端までの間隔を維持しつつ、該第２ガイド部材よりも内方側に向けて延びる案内壁が設けられていることから、収納箱内への帯材の収納時において、帯材は、案内壁により案内されつつ収納方向に移動することになり、帯材の収納箱体内への収納を的確に行うことができることになる。
【００１５】
請求項８に記載された発明によれば、付勢手段が、収納箱体内に収納されて、伸縮方向を収納箱体の内外方向としたコイルバネとされていることから、その伸縮性を利用して、帯材を順次、収納方向に重ねた状態で取り込むことができ、帯材を的確に納箱体内に収納できることになる。
また、帯材の収納時において、コイルバネの伸張力に打ち勝つ押圧力を付与することによって初めて、新たに帯材を収納箱体内に収納することができ、これに伴い、収納箱体の開口は、その収納された帯材に相当する分だけ開状態となり、それ以外の場合は、コイルバネの伸張力基づき帯び材は移動しない。このため、簡単な構成をもって収納箱体の開口を所望の（任意の）開口状態に確実に維持できることになる。
【００１６】
請求項９に記載された発明によれば、帯材収納空間の開口領域に、第１ガイド部材よりも該帯材収納空間の内方側においては、帯材を移動しても該帯材が第２ガイド部材により移動規制を受けないことになっていることから、収納箱の開口を開状態にするときにおいて、第１ガイド部材に向けて付勢されている帯材を付勢手段に抗して収納箱体内に押し込めば、その押し込まれた帯材の元の空間が空き、そこに、一対の第１，第２ガイド部材に保持されている帯材を導き、それをさらに帯材収納空間内に押し込むことができることになり、これを、一対の第１，第２ガイド部材に保持される残りの帯材に対して順次行えば、帯材収納空間内において、帯材は、その帯材収納空間の内方側から重ねられた状態で収納されることになる。しかもこの場合、各帯材に関して、連結部材（例えば可撓性シート）を用意し、それを用いて各帯材を互いを連結することも、各帯材に対して加工を施すことも何等必要でなくなる。このため、極めて簡単な構成をもって、収納方向における使用空間の長さを極力小さくすることができることになる。
【００１７】
また、各帯材は、スライド時には、各帯材の板面が略真っ直ぐ延びるガイド部材に沿いつつ移動し、収納時においては、各帯材の板面を収納方向に向けて真っ直ぐに移動することになり、その各帯材の動きは、略直線的な動きに限られ、回動するようなことはない。このため、各帯材の動きに、その各帯材の幅方向長さが影響を与えることはなく、各帯材の幅方向長さを長くすることもできることになる。これにより、収納箱体の開口を帯材により覆うときにおいて、隣り合う帯材を区画する区画線（当接線）を減らして、開閉蓋の見栄えの向上を図ることができることになる。
【００１８】
請求項１０に記載された発明によれば、収納箱の開口端面に、外方に張り出す取付け板が取付けられていると共に、該取付け板に、該収納箱の開口を外部に開放する開口が形成され、取付け板の開口周縁部が、前記一対のガイド部材における両第１ガイド部材を兼ねていることから、取付け板を用いて、当該物入れユニットを簡単に取付けることができると共に、その取付け板を利用して、部品点数の低減を図ることができることになる。
【００１９】
請求項１１に記載された発明によれば、各帯材が、延び方向端部よりも延び方向内方側における延び方向内方側部分に関し、該延び方向端部の外面高さに比して高くされて、該各帯材の延び方向端部が第１，第２ガイド部材間に保持されている状態にあるとき、該各帯材における延び方向内方側部分の表面高さと取付け板の表面とが面一となるように設定されていることから、複数の帯材が存在していても、その複数の帯材を含む取付け板の表面（外面）全体は平坦になり、その取付け板の表面の見栄え（すっきり感）、使い勝手（物置き台等として）を向上させることができることになる。
しかも、各帯材は、スライド時に、その延び方向外方への移動が各第１ガイド部材により規制されることになり、各帯材は、スライド時に、その延び方向にずれることなく適正にスライドすることになる。このため、収納箱の開口の開閉を帯材を用いて的確に行うことができることになる。
【００２０】
請求項１２に記載された発明によれば、各帯材が、隣り合う帯材同士に関し、スライド方向において一体化すると共に、帯材収納空間の内方方向において離間するように設定されていることから、スライド時には、複数の帯材は一体的な開閉蓋となって収納箱の開口を開閉することになり、各帯材の収納時には、各帯材は、単独で移動して帯材収納空間内に重ねられることになる。このため、収納方向における使用空間（帯材収納空間）の長さを短くとりつつ、収納箱の開口の開閉操作を簡単に行うことができることになる。
【００２１】
請求項１３に記載された発明によれば、一つの帯材を収納容器の開口を閉じる方向にスライドさせれば、隣り合う帯材同士の第１，第２当接面の当接関係及び第１，第２係止面の当接関係に基づき、その他の帯材もそのスライド方向に一体的にスライドすることになる。一方、一つの帯材を収納箱の開口を開く方向にスライドさせれば、同じく隣り合う帯材同士の第１，第２当接面の当接関係及び第１，第２係止面の当接関係に基づき、その他の帯材もそのスライド方向に一体的にスライドすることになる。そして、その収納箱の開口を開くに際し、帯材を収納するときには、収納位置（帯材収納箱の開口位置）における帯材の第２係止面と、その後に続く帯材の第１係止面との傾斜した当接関係に基づき、スライド力の方向が変更され、収納位置における帯材は、その表面を帯材収納空間の開口外方に向けた状態で収納方向に移動することになる。このため、前記請求項１３と同様の作用効果を具体的に実現することができることになる。
【００２２】
請求項１４に記載された発明によれば、前記請求項１３と同様の作用効果を得ることができるだけでなく、複数の帯材が存在していても、その複数の帯材と一対の第１ガイド部材とが形成する表面は平坦になり、その表面の見栄え（すっきり感）、使い勝手（物置き台等として）を向上させることができることになる。
しかも、各帯材は、スライド時に、その延び方向外方への移動が各第１ガイド部材により規制されることになり、各帯材は、スライド時に、その延び方向にずれることなく適正にスライドすることになる。このため、収納箱の開口の開閉を帯材を用いて的確に行うことができることになる。
【００２３】
請求項１５に記載された発明によれば、付勢手段が、伸縮方向を収納箱体の内外方向としたコイルバネとされていることから、その伸縮性を利用して、帯材を順次、収納方向に重ねた状態で取り込むことができ、帯材を的確に納箱体内に収納できることになる。
また、帯材の収納時において、コイルバネの伸張力に打ち勝つ押圧力を付与することによって初めて、新たに帯材を帯材収納空間内に収納することができ、これに伴い、収納箱の開口は、その収納された帯材に相当する分だけ開状態となり、それ以外の場合は、コイルバネの伸張力基づき帯び材は移動しない。このため、簡単な構成をもって収納箱の開口を所望の（任意の）開口状態に確実に維持できることになる。
【発明を実施するための最良の形態】
【００２４】
以下、本発明の実施形態について図面に基づいて説明する。
図１において、符号１は、物入れ構造が適用された物入れユニットとしての小物入れユニットで、この小物入れユニット１は、本実施形態においては、自動車のインストルメントパネル２に、シフトレバー挿通孔３に隣り合うようにして組み付けられている。
【００２５】
前記小物入れユニット１は、図２〜図７に示すように、収納箱４を備えている。この収納箱４は、物入れ箱部５と、その下側に位置される帯材収納箱部６とを有しており、これらは、合成樹脂材料を用いて、一体化されている。
【００２６】
前記物入れ箱部５は、図４，図５，図７に示すように、内部空間７と、その内部空間７を外部（前側）に開放する長方形（四角形）の開口８とを有しており、その内部空間７は、開口８を通じて物入れ空間として利用できることになっている。この内部空間７は、上板部９、下板部１０、左右一対の側板部１１ａ，１１ｂにより区画されており、上板部９と下板部１０、側板部１１ａと側板部１１ｂとは、少なくとも開口８に近い側において、断面が開口の長方形の状態を維持すべく、平行な配置状態にされている。これら上板部９、下板部１０、左右一対の側板部１１ａ，１１ｂの後方側には、後板部１２が設けられており、その後板部１２により内部空間７の開口とは反対側端は閉塞されている。また、この上板部９の上面には、前側においてフランジ部１３が形成されており、そのフランジ部１３前面も、収納箱４の開口８側の端面を構成している。
【００２７】
前記帯材収納箱部６も、内部空間１４と、その内部空間１４を外部（前側）に開放する開口１５とを有しており、その内部空間１４は、開口１５を通じて、後述のリッド（帯材）を収納するための帯材収納空間として利用されることになっている。この内部空間１４の開口１５は、前記物入れ箱部５の開口８と同じ向き（前側）とされており、その開口８と開口１５とは、上下に隣り合った状態とされている。この帯材収納箱部６の開口１５は、横方向において、物入れ箱部５の開口８よりも左右両側に拡張されており、内部空間１４は、その開口状態（断面形状）を略維持した状態で後方側に前記内部空間７の奥行き長さの略半分位まで延ばされている。この内部空間１４は、下板部１６、左右一対の側板部１７ａ，１７ｂ、左右一対の上板部１８ａ，１８ｂにより区画されている。下板部１６は、物入れ箱部５の下板部１０から略一定距離だけ下側において、その下板部１０よりも横方向に拡張された状態で配設されており、左右一対の側板部１７ａ，１７ｂは、下板部１６の横方向両側から立ち上がり、その各上端は、物入れ箱部５の左右一対の各側板部１１ａ，１ｂの下部の高さにまで至っている。左右一対の上板部１８ａ，１８ｂは、側板部１７ａ，１７ｂの各上端と物入れ箱部５の側板部１１ａ，１１ｂの下部とを連結しており、この場合、物入れ箱部５の下板部１０は、帯材収納箱部６の上板部の一部として利用されている。
【００２８】
また、この左右一対の側板部１７ａ，１７ｂの後端と下板部１６の後端とが形成する後端面には、後板部１９が着脱可能に取付けられており、その後板部１９は、図３に示すように、内部空間１４の開口１５とは反対側端である後方側開口を閉塞できることになっている（図６，図７においては図示略））。この内部空間１４の後方側開口は、後述のリッド３４及びコイルバネ４７を収納箱４内に取り込むときに利用されることになっており、これらを取り込んだ後、後板部１９が取付けられることになっている。
尚、符号２０、２１は、後板部１９を取付けるための取付け孔、留め具挿入部をそれぞれ示し、符号２２は後述のリッドの後方移動を規制するストッパを示す。
【００２９】
前記収納箱（物入れ箱部５及び帯材収納箱部６）４の開口（開口８及び開口１５）の端面に、図２〜図７に示すように、取付け板２３が一体的に取付けられている。この取付け板２３は、外側にフランジ状に張り出しており、その外形は、収納箱４の前面側を包みこむようにして正面視長方形状に形成されている。（図５参照）。この取付け板２３には、手のひらが乗る程度の開口２４が形成されている。この開口２４は、収納箱４の開口８，１５を外部に開放する機能を有し、その開口２４の両側縁は、前記物入れ箱部５における側板部１１ａ，１１ｂ端面の内縁上に一致するようにして平行に延び、その開口２４の両側縁部２５は、帯材収納箱部６の開口１４の左右部を覆うことになっている。本実施形態においては、この取付け板２３の各開口側縁部２５が各第１ガイド部材２６を構成することになる。
取付け板２３の開口２４の上縁は物入れ箱部５のフランジ部１３前面上を横方向に延びており、その上縁には、フランジ部１３の前面上であって横方向中央において、係合突起部２７が設けられている。取付け板２３の開口２４の下縁は帯材収納箱部６における下板部１６より若干、上方位置に位置され、それは横方向に延びることになっている。
尚、符号２８は、取付け板２３裏面に設けられた留め具ねじ込み部を示す。
【００３０】
前記物入れ箱部５における各側板部と取付け板２３との間に、図７に示すように、細幅の第１案内溝２９が上下方向全長に亘って形成されている。この第１案内溝２９は、取付け板２３の各側縁部２５裏面から、物入れ箱部５における各側板部１７ａ，１７ｂの開口側端面を若干、離間させることによりそれぞれ形成されており、各第１案内溝２９は、物入れ箱部５の側方において、その物入れ箱部５の内外を連通すると共に、その各第１案内溝２９の下端が、帯材収納箱の内部空間にそれぞれ開口することになっている（図７参照）。本実施形態においては、各第１案内溝２９は、その上端がフランジ部１３前面の途中まで延長されており、その延長部分を形成するために、フランジ部１３の前面は、物入れ箱部５における上板部９から上方に所定長さだけ上板部の端面と面一となるように形成（薄肉化）されている。
【００３１】
前記物入れ箱部５における各側板部１１ａ，１１ｂに、図３、図５、図６に示すように、ガイド板３０ａ，３０ｂがそれぞれ設けられている。この各ガイド板３０ａ（３０ｂ）は、そのガイド面が取付け板２３の裏面から前記第１案内溝２９の溝幅よりも長い一定間隔だけ離間しつつ、フランジ部１３側方から帯材収納箱部６の上板部１８ａ，１８ｂにまで延びており、このガイド板３０ａ（３０ｂ）と取付け板２３とは第２案内溝３１を形成している。この第２案内溝３１は、第１案内溝２９に隣接した状態で該第１案内溝２９に沿って延びており、その第２案内溝３１の下端は、帯材収納箱部６の内部空間１４に開口されている。本実施形態においては、前記物入れ箱部５における各側板部１１ａ，１１ｂの開口側端面１１ａａ，１１ｂｂ及び各ガイド板３０ａ（３０ｂ）が各第２ガイド部材３２を構成し、第１，第２案内溝２９，３１が案内溝３３を構成する。
尚、符号５２は、ガイド板３０ａ，３０ｂを補強するリブを示す。
【００３２】
前記取付け板２３の開口２４は、その全閉時には、図２に示すように、開閉蓋を構成する複数の帯材としての複数のリッド３４により、その各幅方向において互いに隣り合わせた状態をもって覆われている。この各リッド３４は、図８〜図１０に示すように、略一定の幅をもって延びる帯形状をし、その基本的構成は同じとなっており、その各延び方向端部３５は、第１ガイド部材２６（取付け板２３の各開口側縁部）と第２ガイド部材３２（物入れ箱部５における各側板部１１ａ（１１ｂ）の開口側端面１１ａａ（１１ｂｂ）、各ガイド板３０ａ（３０ｂ））との間にスライド可能に保持されている。
【００３３】
具体的に、最下位に位置するリッド３４ｕを例にとって図８〜図１０に基づいて説明すれば、リッド３４の延び方向端部３５には、前記第１案内溝２９を貫通する通過部３６と、その通過部３６より延び方向外方側に位置して第２案内溝３１に位置する係止部３７とが設けられている。通過部３６は、第１案内溝２９を通過できる一定肉厚とされて該第１案内溝２９をスライド可能に通過している。係止部３７には、取付け板２３の開口２４を開く方向にスライドする側（図２、図８〜図１０中、下側）の端部である幅方向一方側の端部において、第１係止部３８がそれぞれ形成され、その幅方向他方側の端部には、第２係止部３９がそれぞれ形成されている。第１係止部３８には、第１当接面４０と第１係止面４１とが形成されている。第１当接面４０は、リッド３４の表面側から裏面側に向うに従って該リッド３４の幅方向一方側の端面が該帯材の幅方向内方に向けて引っ込むように傾斜されており、第１係止面４１は、第１当接面４０に連続して表面側に向けて曲がるように形成されている。第２係止部３９には、第２当接面４２と第２係止面４３とが形成されている。第２当接面４２は、リッド３４の表面側から裏面側に向うに従って該リッド３４の幅方向他方側の表面が該帯材の幅方他方側に進むように傾斜されており、その第２当接面４２に対して隣り合うリッド３４の第１当接面４０が当接されることになっている。第２係止面４３は、第２当接面４２よりもリッド３４の幅方向他方側において該リッド３４の表面側に起立しており、その第２係止面４３に対して隣り合うリッド３４の第１係止面４１が当接することになっている。
【００３４】
また、リッド３４の延び方向端部３５よりも延び方向内方側における延び方向内方側部分４４は、その表面（外面）高さが、延び方向端部３５の表面高さに比して高くされていて、各リッド３４の延び方向端部３５が上述の如く第１，第２ガイド部材２６，３２間に保持されている状態にあるときには、該各リッド３４における延び方向内方側部分４４の表面高さと取付け板２３の開口周縁部外面とが面一となるように設定されている。これにより、見栄え（すっきり感）を向上させることができると共に、リッド３４の表面及び取付け板２３の表面の全体を平坦面にして、それを水平面として用いる場合等には、使い勝手を向上させることができることになっている。
また、本実施形態においては、各リッド３４の延び方向内方側部分４４に、その幅方向一方側端部において傾斜面４５が形成され、その幅方向他方側端部には傾斜面４６が形成されている。傾斜面４５は、前記第１当接面４０の傾斜に対応した傾斜とされており、傾斜面４６は、前記第２当接面４２の傾斜に対応した傾斜とされている。隣り合うリッド３４同士は、傾斜面４５上に傾斜面４６が重なることになっており、複数のリッド３４の延び方向内方側部分４４は、全体を通して、取付け板２３の厚みと同じ厚みとされている。
【００３５】
このようなリッド３４のうちの最下位のリッド３４ｄは、図２，図３，図１３に示すように、帯材収納箱部６の開口１４領域に、取付け板２３（第１ガイド部材２６）よりも該帯材収納箱部６の内方側において配設されていると共に、帯材収納箱部６の内部空間１４には、付勢手段としてのコイルバネ４７が設けられている。リッド３４ｄは、その表面を帯材収納箱部６の開口１５外方側に向けつつ配設され、その裏面にはバネガイド４８が設けられている。このバネガイド４８は、最下位のリッド３４ｄにだけ設けられており、その他のリッド３４には設けられてはいない。コイルバネ４７は、その伸縮方向をリッド３４ｄの板面側に向けた状態で、その一端がバネガイド４８内に嵌挿され、その他端部が物入れ箱部５の後板部に支持されており、このコイルバネ４７によりその最下位のリッド３４は常に取付け板２３における開口の両側縁部（第１ガイド部材２６）に向けて付勢されている。
【００３６】
このようなリッド３４のうちの最上位のリッド３４ｕに関しては、図１１，図１２に示すように、その幅方向他方側端部に前述の傾斜面４６が形成されていない。このため、その最上位のリッド３４ｕの幅方向他方側端面が取付け板２３の開口２４上縁に当接されたときには、その最上位のリッド３４ｕの表面と取付け板２３の開口２４周縁部の上面とは面一になることになっている。この最上位のリッド３４ｕの幅方向他方側端部の裏面には、図１１，図１２に示すように、その延び方向中央において、取付け孔が４９が形成されている。この取付け孔４９には、拡縮片５０が嵌合保持されることになっており、その拡縮片５０は、最上位のリッド３４ｕの幅方向他方側端面が取付け板２３の開口上縁に当接されたときには、物入れ箱部５におけるフランジ部１３前面の係合突起部２７に嵌まり込むことになっており、その嵌合関係を解除するためには、一定以上のスライド力が必要となっている。また、リッド３４のうちの最上位のリッド３４ｕは、他のリッド３４よりも幅方向長さがやや大きく形成され、その表面には、細かな凹凸を形成することにより滑り止め部５１が形成されている。この滑り止め部５１は、取付け板２３の開口を開く方向を示すべく、スライド方向させる方向を示す模様形状に形成されている。
【００３７】
これにより、第１，第２ガイド部材３２間に、リッド３４の延び方向端部３５が存在するときには、一つのリッド３４を取付け板２３の開口２４を閉じる方向にスライドさせれば、隣り合うリッド３４同士の第１，第２当接面４２の当接関係及び第１，第２係止面４３の当接関係に基づき、スライド力を加えたリッド３４よりもスライド側のリッド３４には押圧力が作用し、スライド力を加えたリッド３４よりも後方側のリッド３４に対しては引っ張り力（牽引力）が作用することになる。このため、その他のリッド３４もそのスライド方向に一体的にスライドすることになり、それらは、全体として開閉蓋として機能することになる（図１３参照）。
【００３８】
一方、一つの帯材を取付け板２３の開口２４を開く方向にスライドさせれば、同じく隣り合うリッド３４同士の第１，第２当接面４２の当接関係及び第１，第２係止面４３の当接関係に基づき、その他のリッド３４もそのスライド方向に一体的にスライドすることになり、この場合にも、それらは、全体として開閉蓋として機能することになる（ず１３参照）。
【００３９】
この場合、最下位のリッド３４ｄは、帯材収納箱部６における下板部１６により下方側へのスライドが規制されていることから、図１４，図１５に示すように、最下位のリッド３４ｄの第２当接面４２と、その後に続くリッド３４の第１当接面４０との傾斜した当接関係に基づき、スライド力の方向が変更され、最下位のリッド３４ｄは、その表面を帯材収納箱部６の開口外方に向けつつ、後方側に移動することになる。この作用は、その後に続くリッド３４に対しても、スライド力が作用している限り、働くことになり、帯材収納箱部６の内部空間１４内に、各リッド３４は、その表面を帯材収納箱部６の開口１５外方に向けつつ重なった状態で収納されることになる。最上位のリッド３４に関しては、その幅方向長さが帯材収納箱部６の開口１５の上下長さよりも長くされて、帯材収納箱部６の内部空間１６内に入り込むことができないことから、取付け板２３の開口の全開時には、その最上位のリッド３４は、コイルバネ４７の付勢力を他のリッド３４を介して受けて、第１ガイド部材２６である取付け板２３の側縁部２５に押し付けられた状態で保持されることになる。
【００４０】
逆に、取付け板２３の開口の全開時からその開口２４を閉じるときには、最上位のリッド３４を、第１，第２ガイド部材３２に案内させつつ、開口の閉じ方向にスライドさせれば、そのスライドさせるリッド３４の幅方向一方側の第１係止面４１が、それに続くリッド３４の第２係止面４３に当接して、そのリッド３４が引き上げられることになり、この作用により、帯材収納箱部６内のリッド３４は、順次、開口２４上に引き出される（図１３〜図１５参照）。
【００４１】
したがって、このような小物入れユニット１を取付けた場合には、図２に示すような全閉状態の複数のリッド３４上に軽く手を乗せ、軽く下方に向けてスライド力をいずれかのリッド３４に与えれば、図１６に示すように、取付け板２３の開口２４が開き、その開口２４を介して物入れ箱部５の内部空間７が外部に開放されることになる。これにより、物入れ箱部５の内部空間７を物入れ空間として利用できることになる。
【００４２】
この場合、リッド３４は、帯材収納箱部６の内部空間１４に、その表面をその帯材収納箱部６の開口１５外方に向けつつ重ねた状態で収納され、しかも、このとき、コイルバネ４７の配設空間のうちの短縮された部分が利用されることから、リッド３４の収納のための収納方向（帯材収納箱部６における内部空間１４の内方方向）の長さを短くできることになる。
【００４３】
しかも、各リッド３４の幅方向長さを短くすれば、帯材収納箱部６の上下長さも短くできる一方、各リッド３４の幅方向長さを長くしても、各リッド３４の動きは、上下方向のスライドと、横方向の移動だけとなり、途中、回動等により他の部材との干渉が問題となることもない。このため、各リッド３４として、幅方向長さが長いものを用いて、全閉時において、隣り合うリッド３４の区画線の数を減らして、見栄えを向上させることもできることになる。
【００４４】
上記実施形態においては、小物入れユニット１として説明したが、その小物入れユニット１に取り込まれた開閉構造を既存の収納箱体、例えばコンソールボックス等に適用して、物入れを形成してもよい。
また、実施形態では、当該小物入れユニット１を傾斜した縦壁に組み付けられているが、取付け板２３の開口２４を上方に向くようにしつつ、水平な取付け壁に取付けてもよい。
【００４５】
尚、本発明の目的は、明記されたものに限らず、実質的に好ましい或いは利点として載されたものに対応したものを提供することをも含むものである。
【図面の簡単な説明】
【００４６】
【図１】実施形態に係る小物入れユニットが組み込まれた状態を示す斜視図。
【図２】実施形態に係る全閉状態の小物入れユニットを示す斜視図。
【図３】実施形態に係る小物入れユニットを示す一部断面側面図。
【図４】実施形態に係る収納箱を示す斜視図。
【図５】実施形態に係る収納箱を示す正面図。
【図６】実施形態に係る収納箱を示す左側面図。
【図７】図４のＺ７−Ｚ７線断面図。
【図８】実施形態に係るリッドを示す斜視図。
【図９】実施形態に係る最下位に位置するリッドを示す正面図。
【図１０】図９の側面図。
【図１１】実施形態に係る最上位に位置するリッドを示す斜視図。
【図１２】図１１の平面図。
【図１３】リッドの収納を説明する説明図。
【図１４】図１３の続きを説明する動作状態図。
【図１５】図１４の続きを説明する動作状態図。
【図１６】実施形態に係る全開状態の小物入れユニットを示す斜視図。
【符号の説明】
【００４７】
１  小物入れユニット
４  収納箱
５  物入れ箱部
６  帯材収納箱部
７  物入れ箱部の内部空間
８  物入れ箱部の開口
１０  物入れ箱部の下板部
１１ａａ  物入れ箱部５における側板部の開口側端面（第２ガイド部材）
１１ｂｂ  物入れ箱部５における側板部の開口側端面（第２ガイド部材）
１４  帯材収納箱部の内部空間
１５  帯材収納箱部の開口
１６  帯材収納箱部の下板部
２３  取付け板
２４  取付け板の開口
２５  取付け板の開口側縁部（第１ガイド部材）
２６  第１ガイド部材
２９  第１案内溝（案内溝）
３０ａ  ガイド板（第２ガイド部材）
３０ｂ  ガイド板（第２ガイド部材）
３１  第２案内溝（案内溝）
３２  第２ガイド部材
３３  案内溝
３４  リッド（帯材）
３５  延び方向端部
３８  第１係止部
３９  第２係止部
４０  第１当接面
４１  第１係止面
４２  第２当接面
４３  第２係止面
４４  延び方向内方側部分
４５  延び方向内方側部分の傾斜面
４６  延び方向内方側部分の傾斜面
４７  コイルバネ
【図１】
2006249834.tif 000003
【図２】
2006249834.tif 000004
【図３】
2006249834.tif 000005
【図４】
2006249834.tif 000006
【図５】
2006249834.tif 000007
【図６】
2006249834.tif 000008
【図７】
2006249834.tif 000009
【図８】
2006249834.tif 000010
【図９】
2006249834.tif 000011
【図１０】
2006249834.tif 000012
【図１１】
2006249834.tif 000013
【図１２】
2006249834.tif 000014
【図１３】
2006249834.tif 000015
【図１４】
2006249834.tif 000016
【図１５】
2006249834.tif 000017
【図１６】
2006249834.tif 000018